(57)【要約】【課題】ネットワークの負荷を効果的に緩和する通信システムを提供する。【解決手段】複数のＩＭＳネットワーク１１、１２と接続可能なフェムトセル基地局Ｆ１〜Ｆ４を含む通信システム１に、フェムトセル基地局Ｆ１〜Ｆ４と通信可能な負荷分散装置２１を備える。負荷分散装置２１は、所定の重み付けに基づいてフェムトセル基地局ｆ１〜Ｆ４が各ＩＭＳネットワーク１１、１２のいずれに接続するかを制御する。【選択図】図１
2015162800.tif 000002
【特許請求の範囲】
【請求項１】
複数のネットワークと接続可能なフェムトセル基地局を複数含む通信システムであって、
前記複数のフェムトセル基地局と通信可能な第１の負荷分散装置を備え、
前記第１の負荷分散装置は、所定の重み付けに基づいて前記複数のフェムトセル基地局が複数の前記ネットワークのいずれに接続するかを制御する第１の制御部、
を備える、通信システム。
【請求項２】
少なくとも前記負荷分散装置と通信可能な第１の情報処理装置を更に含み、
前記第１の情報処理装置は、
前記第１の負荷分散装置へ前記所定の重み付けを指示する第１の指示部、
を備える、
請求項１に記載の通信システム。
【請求項３】
前記第１の情報処理装置は、
前記複数のネットワークと接続可能であり、
前記複数のネットワークにおける負荷を監視する第１の監視部と、
前記第１の監視部の監視結果に基づいて、前記複数のネットワークの各々についての重み付けを決定する第１の決定部と、
を備え、
前記第１の指示部は、前記第１の負荷分散装置に対して前記第１の決定部の決定した前記重み付けを指示する、
請求項２に記載の通信システム。
【請求項４】
前記第１の情報処理装置は、
前記複数のネットワークと異なる上位ネットワークと接続可能であり、
前記上位ネットワークの通信状況を取得する第１の取得部、
を備え、
前記第１の決定部は、前記第１の前記監視部の前記監視結果及び前記第１の取得部で取得する前記通信状況に基づいて、前記重み付けを決定する、
請求項３に記載の通信システム。
【請求項５】
前記第１の制御部は、前記重み付けが大きい方のネットワークに相対的に多数の前記フェムトセル基地局を接続させるように制御する、
請求項１〜４のいずれか一項に記載の通信システム。
【請求項６】
前記複数のフェムトセル基地局の通信可能な第２の負荷分散装置を更に備え、
前記第２の負荷分散装置は、
前記重み付けに基づいて前記複数のフェムトセル基地局が複数の前記ネットワークのいずれに接続するかを制御する第２の制御部を備え、
前記第１の負荷分散装置と前記第２の負荷分散装置とは並行して動作する、
請求項５に記載の通信システム。
【発明の詳細な説明】
【技術分野】
【０００１】
本発明は、通信システムに関する。
【背景技術】
【０００２】
近年、携帯電話等の移動機の通信エリアを広げるため、家屋や建物の内部に、インターネット回線を介して移動機をネットワークに接続させるフェムトセル基地局の設置が進んでいる。フェムトセル基地局を含む通信システムにおいては、移動機がフェムトセル基地局を介してインターネット回線上のウェブサーバに接続する場合は、以下の処理が行なわれる。先ず移動機がフェムトセル基地局へウェブサーバに接続するためのＵＲＬをフェムトセル基地局へ送信する。フェムトセル基地局は移動機から当該ＵＲＬを受け取ると、ＤＮＳ（Domain Name System）へ当該ＵＲＬのＤＮＳクエリ及び移動機の識別番号（以下ではＦＱＤＮ（Fully Qualified Domain Name）要求とも称する。）を送信する。ＤＮＳは、移動機の識別番号に基づいて接続可能であるかを診断し、接続可能である場合はＵＲＬのＩＰアドレスをフェムトセル基地局装置に回答する。フェムトセル基地局は、ＤＮＳからの回答に基づいて、ＵＲＬのＩＰアドレスを移動機に送信する。このような処理を終えた後、移動機が、フェムトセル基地局から送信されるＩＰアドレスを用いてインターネット回線上のウェブサーバに接続するようになる（例えば、特許文献１参照）。
【０００３】
また、通信時の負荷を分散する技術として、例えば、クライアント装置からクエリ要求があった場合に、当該クエリ要求を実処理能力に合わせて複数のキャッシュサーバのうちから適切にキャッシュサーバに振り分けることにより、負荷を分散する負荷分散装置が知られている（例えば、特許文献２参照）。
【先行技術文献】
【特許文献】
【０００４】
【特許文献１】特開２００９−２７１８４２号公報
【特許文献２】特開２０１３−２４２７５１号公報
【発明の概要】
【発明が解決しようとする課題】
【０００５】
上記の通信システムにおいて、ＤＮＳは、フェムトセル基地局に送信するＩＰアドレスを決定する際、ネットワーク内の負荷状況を考慮しない。例えば、ネットワーク内の一部に障害が発生し、当該障害を補完するために当該ネットワーク内の負荷が大きくなっている可能性があっても、その状況は考慮されない。よって、ＤＮＳは、負荷が大きくなっているネットワークのＰＤＧのＩＰアドレスをフェムトセル基地局に送信する場合が生じる。フェムトセル基地局が、負荷が大きくなっているネットワークに接続した場合、移動機の通信がスムーズにできず、移動機の使用者に煩わしさを与えてしまうこと事態も生じる。
【０００６】
また、特許文献２に記載の技術を用いても、特許文献２に記載の負荷分散装置は、クエリ要求をキャッシュサーバの実処理能力に合わせて適切なキャッシュサーバに振り分ける技術であるため、ネットワーク内の負荷が大きくなっている場合に当該ネットワークの内部で若干の負荷分散がされるに過ぎず、一つのネットワークに大規模な障害が生じた場合には十分に対応することができなかった。
【０００７】
本発明は、上記事情に鑑みてなされたものであり、その目的は、ネットワークの負荷を効果的に緩和する通信システムを提供することにある。
【課題を解決するための手段】
【０００８】
本願発明者は、通信インフラの設計思想として、インターネットのサブネットワークとして地域毎にネットワークを整備し、複数のネットワークが併存する場合があり、このような場合に、各々のネットワークの負荷が同時に高くなることは稀であることに着目し、ネットワーク内の負荷を効果的に緩和することができる技術に想到した。
【０００９】
上記課題を解決するために本発明の通信システムは、複数のネットワークと接続可能なフェムトセル基地局を複数含む通信システムであって、前記複数のフェムトセル基地局と通信可能な第１の負荷分散装置を備え、前記第１の負荷分散装置は、所定の重み付けに基づいて前記複数のフェムトセル基地局が複数の前記ネットワークのいずれに接続するかを制御する第１の制御部を備える。
【００１０】
したがって、前記第１の負荷分散装置は、所定の重み付けに基づいてフェムトセル基地局が複数のネットワークのうちのいずれに接続するかを制御できるため、ネットワークの負荷を効果的に緩和することができる。
【００１１】
また、前記通信システムは、少なくとも前記負荷分散装置と通信可能な第１の情報処理装置を更に含み、前記第１の情報処理装置は、前記第１の負荷分散装置へ前記所定の重み付けを指示する第１の指示部、を備えるようにしても良い。
【００１２】
このように構成すると、前記通信システムにおいて、第１の情報処理装置が第１の負荷分散装置の重み付けを変更することができる。
【００１３】
前記第１の情報処理装置は、前記複数のネットワークと接続可能であり、前記複数のネットワークにおける負荷を監視する第１の監視部と、前記第１の監視部の監視結果に基づいて、前記複数のネットワークの各々についての重み付けを決定する第１の決定部と、を備え、前記第１の指示部は、前記第１の負荷分散装置に対して前記第１の決定部の決定した前記重み付けを指示するようにしても良い。
【００１４】
このように構成すると、前記第１の情報処理装置は、複数のネットワークにおける負荷を監視する第１の監視部の監視結果に基づいて、重み付けを決定し、第１の負荷分散装置に重み付けを指示することができる。このため、前記通信システムは、前記複数のネットワークの各々についての負荷の状況に応じた重み付けを行なうことができる。
【００１５】
更に、前記第１の情報処理装置は、前記複数のネットワークと異なる上位ネットワークと接続可能であり、前記上位ネットワークの通信状況を取得する第１の取得部を備え、前記第１の決定部は、前記第１の前記監視部の前記監視結果及び前記第１の取得部で取得する前記通信状況に基づいて、前記重み付けを決定するようにしても良い。
【００１６】
このように構成すると、第１の情報処理装置は、前記第１の監視部の前記監視結果及び前記上位ネットワークの前記通信状況に基づいて、前記重み付けを決定することができる。このため、前記通信システムは、例えば、前記上位ネットワークの通信状況が一部地域で障害が発生している場合に、当該一部地域と関連のある地域をカバーするネットワークにフェムトセル基地局が接続する数を減らすように、前記重み付けを決定することができる。
【００１７】
また、前記第１の制御部は、前記重み付けが大きい方のネットワークに相対的に多数の前記フェムトセル基地局を接続させるように制御するようにしても良い。
【００１８】
このように構成すると、前記通信システムは、例えば、複数のネットワークのうちネットワーク内の負荷の小さいネットワークの重み付けを大きくすることにより、各ネットワークについて負荷の分散をより効果的に緩和できる。
【００１９】
またさらに、前記通信システムは、前記複数のフェムトセル基地局の通信可能な第２の負荷分散装置を更に備え、前記第２の負荷分散装置は、前記重み付けに基づいて前記複数のフェムトセル基地局が複数のネットワークのいずれに接続するかを制御する第２の制御部を備え、前記第１の負荷分散装置と前記第２の負荷分散装置とが並行して動作するようにしても良い。
【００２０】
このように構成すると、前記第１の負荷分散装置及び前記第２の負荷分散装置の一方の負荷分散装置に障害が発生しても、他方の負荷分散装置によってフェムトセル基地局が複数のネットワークのうちのいずれのネットワークに接続するかを制御することができるため、通信システムの信頼性を向上させることができる。
【発明の効果】
【００２１】
本発明によると、ネットワークの負荷を効果的に緩和することができる通信システムを提供できる。
【図面の簡単な説明】
【００２２】
【図１】本発明の実施の形態に係る通信システムの構成の一例を示す図である。
【図２】同実施の形態に係るフェムトセル基地局の通信範囲と移動機の位置との関係を示す図である。
【図３】同実施の形態に係る負荷分散装置の機能ブロックの一例を示す図である。
【図４】同実施の形態に係る情報処理装置の機能ブロックの一例を示す図である。
【図５】同実施の形態に係る通信システムの通信制御の手順の一例を示すタイミングチャートである。
【図６】同実施の形態に関わる通信システムの通信制御の手順の一例を示すタイミングチャートである。
【図７】本発明の実施の形態の変形例に係る通信システムの構成の一例を示す図である。
【発明を実施するための形態】
【００２３】
以下、本発明の実施の形態について図面を参照しながら説明する。
【００２４】
図１は、本発明の実施の形態に係る通信システムの構成の一例を示す図である。図１に示すように、本実施の形態に係る通信システム１は、複数のネットワークとして例示的に、ＩＭＳ（IP Multimedia Subsystem）ネットワーク（ＩＭＳコアとも称する。）１１と、ＩＭＳネットワーク１２とを備え、ＩＭＳネットワーク１１、１２と接続可能な複数のフェムトセル基地局として例示的に、フェムトセル基地局Ｆ１〜Ｆ４を含むと共に、フェムトセル基地局Ｆ１〜Ｆ４と通信可能な負荷分散装置２１を含む。更に、通信システム１は、負荷分散装置（第１の負荷分散装置）２１と通信可能な情報処理装置（第１の情報処理装置）３１を含む。この情報処理装置３１は、ＩＭＳネットワーク１１、１２、上位ネットワーク４１とそれぞれ接続している。
【００２５】
ＩＭＳネットワーク１１は、関東地域をカバーするネットワークであり、ＩＭＳネットワーク１２は、関西地域をカバーするネットワークである。なお、本実施の形態では、通信システム１には、ＩＭＳネットワーク１１、１２の２つのＩＭＳネットワークが含まれる場合で説明するが、ＩＭＳネットワーク数はこれに限るものではない。
【００２６】
また、ＩＭＳネットワーク１１は、ネットワークの入口となるＰＤＧ（Packet Data Gateway）１１ａを含む。ＩＭＳネットワーク１１内にはＰＤＧ１１ａの他に各種サーバ装置（図示省略）が含まれており、これらの各種サーバ装置は、ＩＭＳネットワーク１１内で互いに接続されている。これらの各種サーバ装置の中には、同じ機能のサーバ装置を同等に並行して機能させる、いわゆる冗長構成となっているサーバ装置群もあり、ＩＭＳネットワーク１１内の通信の信頼性を向上させている。なお、ＩＭＳネットワーク１２はＩＭＳネットワーク１１と同様な構成をしているため、本実施の形態では詳細な説明を省略する。
【００２７】
フェムトセル基地局Ｆ１は、家庭、オフィス又は地下等の屋内に設置され、携帯電話や携帯用パーソナルコンピュータ等の移動機５１用に、図２に示すように、例えば半径数十メートル程度の通信エリア（フェムトセル）Ａ１を形成する基地局として機能する。フェムトセル基地局装置Ｆ１は、通信エリアＡ１内に位置する移動機５１と、ＩＭＳネットワーク１１又は１２とを、負荷分散装置２１から受信するＰＤＧ１１ａ又は１２ａのＩＰアドレスを使用して通信可能に接続する。なお、フェムトセル基地局Ｆ２〜Ｆ４は、フェムトセル基地局Ｆ１と同様な構成をしているため、本実施の形態では詳細な説明を省略する。また、通信システム１は、フェムトセル基地局Ｆ１〜Ｆ４の４つのフェムトセル基地局を有する場合で説明するが、フェムトセル基地局の数はこれに限るものではない。
【００２８】
図１に戻り、負荷分散装置２１は、例えば制御部、記憶部、通信インタフェース等を含み、これらのハードウェア及び記憶部に記憶されるソフトウェアを用いて通信制御を実行可能なコンピュータ装置で構成される。また、負荷分散装置２１は、機能的には、図３に示すように、所定の重み付けに基づいて複数のフェムトセル基地局Ｆ１〜Ｆ４が複数のＩＭＳネットワーク１１、１２のいずれに接続するかを制御する制御部（第１の制御部）２１１を備えている。
【００２９】
図１に戻り、情報処理装置３１は、例えば制御部、記憶部、通信インタフェース等を含み、これらのハードウェア及び記憶部に記憶されるソフトウェアを用いて通信制御を実行可能なコンピュータ装置で構成される。また、情報処理装置３１は、機能的には、図４に示すように、負荷分散装置２１へ重み付けを指示する指示部（第１の指示部）３１１と、ＩＭＳネットワーク１１、１２における負荷を監視する監視部（第１の監視部）３１２と、上位ネットワーク４１の通信状況を取得する取得部（第１の取得部）３１３と、監視部３１２の監視結果及び取得部３１３で取得する通信状況に基づいて、ＩＭＳネットワーク１１、１２の各々についての重み付けを決定する決定部（第１の決定部）３１４とを備えている。また、決定部３１４は、例えば、ＩＭＳネットワーク１１、１２のうち重み付けが大きい方のネットワークに相対的に多数のフェムトセル基地を接続させるように重み付けを決定する。そして、指示部３１１は、負荷分散装置２１に対して決定部３１４の決定した重み付けを指示する。
【００３０】
上位ネットワーク４１は、例えば、関東地域、関西地域を含む日本全国の各地域をカバーするネットワークであり、例えば、インターネットに含まれるサブネットワークである。
【００３１】
次に、上記の通信システム１の通信制御の手順の一例について図５及び図６を参照して説明する。より詳細には、図５は情報処理装置３１が負荷分散装置２１に重み付けを指示するまでの制御のタイミングを示しており、図６は移動機５１がフェムトセル基地局Ｆ１を介してＩＭＳネットワーク１１又は１２に接続するまでの制御のタイミングを示している。
【００３２】
図５に示すように、まず情報処理装置３１は、上位ネットワーク４１と接続し（ＳＴ１０１）、上位ネットワーク４１の通信状況を取得する（ＳＴ１０２）。この通信状況の取得は、例えば、定期的に、又は、所定のタイミングで行なわれる。通信状況としては、例えば、上位ネットワーク４１がカバーする各地域について、負荷の大きさがどのような状況であるかという情報が取得される。
【００３３】
また、情報処理装置３１は、各ＩＭＳネットワーク１１、１２と接続し（ＳＴ１０３）、各ＩＭＳネットワーク１１、１２の負荷の大きさを監視する（ＳＴ１０４）。この負荷の監視は、例えば、定期的に行なわれる。この監視を行なうことにより、情報処理装置３１は、例えば、冗長構成をしたサーバ装置群の１つに障害が発生したり、メンテナンスで動作を停止していたりすることによる障害等の影響を補完するためにネットワーク内の負荷が大きくなる事態が生じたときに、この大きくなった負荷状況を適時に把握することができる。また、情報処理装置３１は、ＩＭＳネットワーク１１、１２のうち一方のＩＭＳネットワークがカバーする地域において、瞬間的に、多数のフェムトセル基地局からアクセスが生じ（例えば、所定の観戦イベントの終了後、大規模事故発生後、地震等の自然災害発生後）、当該地域をカバーするＩＭＳネットワークの負荷が大きくなる事態が生じたときに、この大きくなった負荷状況を適時に把握することができる。
【００３４】
なお、図５においては、情報処理装置３１が上位ネットワーク４１から通信状況を取得する処理の次に、各ＩＭＳネットワーク１１、１２の負荷の大きさを監視する処理が行なわれる場合で説明したが、逆の順序で行なわれる場合もあるし、略同時に行なわれる場合もある。
【００３５】
情報処理装置３１は、上記のステップＳＴ１０２で取得した通信状況、及びＳＴ１０４で取得した監視結果に基づいて、各ＩＭＳネットワーク１１、１２の重み付けを決定する（ＳＴ１０５）。例えば、ステップＳＴ１０２で取得した上位ネットワーク４１の通信状況がそれほど変化してないのに、ステップＳ１０４で取得した監視結果がＩＭＳネットワーク１２の負荷が大幅に増大しているような場合、関西地域に地震等の自然災害が発生した可能性がある。このような場合は、関西地域をカバーするＩＭＳネットワーク１２よりも、優先的に関東地域をカバーするＩＭＳネットワーク１１に接続するように重み付けを決定する。この場合、重み付けは、例えば、ＩＭＳネットワーク１１：ＩＭＳネットワーク１２＝Ｘ：１００−Ｘ（Ｘ：０≦Ｘ＜５０の範囲の自然数）という算出式を用いて算出される。具体的な一例を挙げると、ＩＭＳネットワーク１１の重み付けを若干上げたような場合、例えばＩＭＳネットワーク１１：ＩＭＳネットワーク１２＝７５：２５という重み付けが算出される。負荷分散装置２１は、この重み付けに従って、例えば、フェムトセル基地局Ｆ１〜Ｆ３をＩＭＳネットワーク１１へ、フェムトセル基地局Ｆ４をＩＭＳネットワーク１２へ接続するよう各フェムトセル基地局に指示する。これにより、フェムトセル基地局Ｆ１〜Ｆ３が、ネットワーク内の負荷が大きくなっている可能性があるＩＭＳネットワーク１２へ接続を試み、接続失敗後、再度ＦＱＤＮ（Fully Qualified Domain Name）要求を負荷分散装置２１へ送信し、ネットワーク１１へ接続を切り替えるという無駄な処理が行なわれることを低減することができる。好ましくは、情報処理装置３１は、各ＩＭＳネットワーク１１、１２の負荷の大きさに基づいて、各ＩＭＳネットワーク１１、１２が同程度の負荷となるように重み付け、すなわちフェムトセル基地局の接続数を調整するように重み付けを決定する。情報処理装置３１が当該決定を行なうタイミングは、例えば、所定の間隔である。
【００３６】
なお、本実施の形態においては、上位ネットワーク４１の通信状況及び各ＩＭＳネットワーク１１、１２の監視結果に基づいて重み付けを決定する場合で説明したが、情報処理装置３１は、各ＩＭＳネットワーク１１、１２の監視結果のみに基づいて重み付けを決定するようにしても良い。
【００３７】
情報処理装置３１は、ステップＳＴ１０５において重み付けを決定すると、当該決定した重み付けを負荷分散装置２１に指示する（ＳＴ１０６）。これにより、負荷分散装置２１は、情報処理装置３１から指示された重み付けに基づいてフェムトセル基地局Ｆ１〜Ｆ４が各ネットワーク１１、１２のいずれに接続するかを制御する。
【００３８】
次に、移動機５１が複数のＩＭＳネットワーク１１、１２のいずれかに接続するまでの制御、すなわち、重み付けの値がより大きな方のネットワークにより多くのフェムトセル基地局が接続するように割当てを決定し、この決定に従って各フェムトセル基地局に接続するネットワークを提示する制御について図６を参照して説明する。
【００３９】
フェムトセル基地局Ｆ１が、通信エリアＡ１内に存在する移動機５１（参照：図２）から、ＩＭＳネットワークへの接続要求を受信すると（ＳＴ２０１）、フェムトセル基地局Ｆ１は、負荷分散装置２１へ接続先となるＩＭＳネットワークのＰＤＧのＩＰアドレスをＦＱＤＮにより問い合わせる（ＳＴ２０２）。
【００４０】
負荷分散装置２１は、情報処理装置３１から指示された重み付けに基づいて、ＦＱＤＮ要求元のフェムトセル基地局Ｆ１を複数のＩＭＳネットワーク１１、１２のいずれに接続させるかを制御する。ここで、重み付けの一例として、前述したように、ＩＭＳネットワーク１１：ＩＭＳネットワーク１２＝７５：２５が指示されている場合を挙げより詳細に説明する。このように重み付けが指示されている場合に、負荷分散装置２１が、例えば、４台のフェムトセル基地局Ｆ１〜Ｆ４からＦＱＤＮを受信すると、負荷分散装置２１は、３台のフェムトセル基地局をＩＭＳネットワーク１１へ、１台のフェムトセル基地局をＩＭＳネットワーク１２へ接続するように、４つのＦＱＤＮ要求に対して、ＰＤＧ１１ａのＩＰアドレスを３回、ＰＤＧ１２ａのＩＰアドレスを１回割当て、４台のフェムトセル基地局Ｆ１〜Ｆ４に対してＩＰアドレスを送信する。例えば、この制御により、フェムトセル基地局Ｆ１〜Ｆ３をＩＭＳネットワーク１１へ、フェムトセル基地局Ｆ４をＩＭＳネットワーク１２へ接続させるようなＩＰアドレスを送信する。
【００４１】
フェムトセル基地局Ｆ１は、負荷分散装置２１から受信した例えば、ＰＤＧ１１ａのＩＰアドレスを受信した場合（ＳＴ２０３）、当該ＩＰアドレスに基づいてＰＤＧ１１ａに接続を要求する（ＳＴ２０４）。この接続要求を受けて、フェムトセル基地局Ｆ１と、ＩＭＳネットワーク１１とが接続する（ＳＴ２０５）。これにより、移動機５１がフェムトセル基地局Ｆ１を介してＩＭＳネットワーク１１と通信可能に接続する。同様に、フェムトセル基地局Ｆ２、Ｆ３もＩＭＳネットワーク１１と通信可能に接続する。また、フェムトセル基地局Ｆ４については、ＰＤＧ１２ａのＩＰアドレスを受信するため、フェムトセル基地局Ｆ４は、ＩＭＳネットワーク１２と接続する。
【００４２】
以上のように構成された通信システム１によると、負荷分散装置２１は、所定の重み付けに基づいて、フェムトセル基地局Ｆ１〜Ｆ４からＦＱＤＮを受信した場合に、フェムトセル基地局Ｆ１〜Ｆ４が複数のＩＭＳネットワーク１１、１２のうちのいずれに接続するかを制御できるため、ＩＭＳネットワーク１１、１２の負荷を効果的に緩和することができる。
【００４３】
また、情報処理装置３１は、負荷分散装置２１へ所定の重み付けを指示する指示部３１１を備えるため、通信システム１において、情報処理装置３１が負荷分散装置２１の重み付けを変更することができる。
【００４４】
更に、情報処理装置３１は、監視部３１２の監視結果及び上位ネットワーク４１の通信状況に基づいて、重み付けを決定することができる。このため、通信システム１は、例えば、上位ネットワーク４１の通信状況が関西地域で障害が発生していることを示す場合に、当該関西地域をカバーするＩＭＳネットワーク１２にフェムトセル基地局Ｆ１〜Ｆ４が接続する数を無くす、或いは減らすように、重み付けを決定することができる。
【００４５】
また、情報処理装置３１は、上位ネットワーク４１の通信状況を考慮せずに監視部３１２の監視結果に基づいて、重み付けを決定し、負荷分散装置２１に重み付けを指示するようにするこができる。このため、通信システム１は、各ＩＭＳネットワーク１１、１２の各々についての負荷の状況に応じて重み付けを行なうことができる。
【００４６】
また、負荷分散装置２１の制御部２１１は、各ＩＭＳネットワーク１１、１２のうち重み付けが大きい方のネットワークに相対的に多数のフェムトセル基地局Ｆ１〜Ｆ４を接続させるように制御することができる。このため、通信システム１は、例えば、各ＩＭＳネットワーク１１、１２のうちネットワーク内の負荷の小さいネットワークの重み付けを大きくすることができ、これにより、各ＩＭＳネットワーク１１、１２について負荷の分散をより効果的に緩和できる。
【００４７】
（変形例）
次に、上記実施の形態の変形例について説明する。この変形例は、上記実施の形態における通信システム１において、負荷分散装置及び情報処理装置がそれぞれ冗長構成となるように構成されている点が上記実施の形態と異なっている。このため、上記実施の形態と同一の構成については同一の符号を付し、これらの構成については詳細な説明は省略することとする。
【００４８】
本変形例に係る通信システム１ａは、負荷分散装置２１と負荷分散装置（第２の負荷分散装置）２２とが冗長構成となっており、また、情報処理装置３１と情報処理装置（第２の情報処理装置）３２とが冗長構成となっている。
【００４９】
また、負荷分散装置２２は、図３で示す負荷分散装置２１の制御部２１１と同一の機能を有する制御部（図示省略：第２の制御部）を備えており、情報処理装置３２は、図４で示す負荷分散装置３１の指示部３１１、監視部３１２、取得部３１３、決定部３１４と同一の機能を有する指示部（図示省略：第２の指示部）、監視部（図示省略：第２の監視部）、取得部（図示省略：第２の取得部）、決定部（図示省略：第２の決定部）をそれぞれ備えている。そして、負荷分散装置２１と負荷分散装置２２とは並行して動作し、情報処理装置３１と情報処理装置３２とは並行して動作するように構成されている。
【００５０】
この変形例における通信システム１ａによると、負荷分散装置２１及び負荷分散装置２２の一方の負荷分散装置に障害が発生しても、他方の負荷分散装置によってフェムトセル基地局Ｆ１〜Ｆ４が複数のＩＭＳネットワーク１１、１２のうちのいずれのネットワークに接続するかを制御することができるため、通信システム１ａの信頼性を向上させることができる。
【００５１】
また、通信システム１ａによると、情報処理装置３１及び情報処理装置３２の一方の情報処理装置に障害が発生しても、他方の情報処理装置によって、負荷分散装置２１、２２に対して重み付けの指示ができるため、通信システム１ａの信頼性を向上させることができる。
【００５２】
なお、上記変形例の通信システム１ａにおいては、負荷分散装置２１、情報処理装置３１がそれぞれ負荷分散装置２２、情報処理装置３２と冗長構成となっている場合で説明したが、負荷分散装置２１又は情報処理装置３１のみが冗長構成となっている構成としても良いし、冗長度は、３以上で有っても良い。
【符号の説明】
【００５３】
１、１ａ・・・通信システム
１１、１２・・・ＩＭＳネットワーク
１１ａ、１２ａ・・・ＰＤＧ
２１、２２・・・負荷分散装置
２１１・・・制御部
３１、３２・・・情報処理装置
３１１・・・指示部
３１２・・・監視部
３１３・・・取得部
３１４・・・決定部
４１・・・上位ネットワーク
５１・・・移動機
Ｆ１〜Ｆ４・・・フェムトセル基地局
Ａ１・・・通信エリア
【図１】
2015162800.tif 000003
【図２】
2015162800.tif 000004
【図３】
2015162800.tif 000005
【図４】
2015162800.tif 000006
【図５】
2015162800.tif 000007
【図６】
2015162800.tif 000008
【図７】
2015162800.tif 000009
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
複数のネットワークと接続可能なフェムトセル基地局を複数含む通信システムであって、
前記複数のフェムトセル基地局と通信可能な第１の負荷分散装置と、少なくとも前記第１の負荷分散装置と通信可能な第１の情報処理装置と、を備え、
前記第１の負荷分散装置は、所定の重み付けに基づいて前記複数のフェムトセル基地局が複数の前記ネットワークのいずれに接続するかを制御する第１の制御部を備え、
前記第１の情報処理装置は、
前記複数のネットワークにおける負荷を監視する第１の監視部と、
前記複数のネットワークと異なる上位ネットワークの通信状況を取得する第１の取得部と、
前記第１の監視部の監視結果及び前記第１の取得部で取得された前記通信状況に基づいて前記所定の重み付けを決定する第１の決定部と、を備える、
通信システム。
【請求項２】
前記第１の情報処理装置は、
前記第１の負荷分散装置へ前記所定の重み付けを指示する第１の指示部を更に備える、
請求項１に記載の通信システム。
【請求項３】
前記第１の制御部は、前記所定の重み付けが大きい方のネットワークに相対的に多数の前記フェムトセル基地局を接続させるように制御する、
請求項１又は２に記載の通信システム。
【請求項４】
前記複数のフェムトセル基地局と通信可能な第２の負荷分散装置を更に備え、
前記第２の負荷分散装置は、
前記所定の重み付けに基づいて前記複数のフェムトセル基地局が複数の前記ネットワークのいずれに接続するかを制御する第２の制御部を備え、
前記第１の負荷分散装置と前記第２の負荷分散装置とは並行して動作する、
請求項３に記載の通信システム。
【手続補正２】
【補正対象書類名】明細書
【補正対象項目名】０００９
【補正方法】変更
【補正の内容】
【０００９】
上記課題を解決するために本発明の通信システムは、複数のネットワークと接続可能なフェムトセル基地局を複数含む通信システムであって、前記複数のフェムトセル基地局と通信可能な第１の負荷分散装置と少なくとも前記第１の負荷分散装置と通信可能な第１の情報処理装置とを備え、前記第１の負荷分散装置は、所定の重み付けに基づいて前記複数のフェムトセル基地局が複数の前記ネットワークのいずれに接続するかを制御する第１の制御部、を備え、前記第１の情報処理装置は、前記複数のネットワークにおける負荷を監視する第１の監視部と、前記複数のネットワークと異なる上位ネットワークの通信状況を取得する第１の取得部と、前記第１の監視部の監視結果及び前記第１の取得部で取得された前記通信状況に基づいて、前記所定の重み付けを決定する第１の決定部と、を備える。
【手続補正３】
【補正対象書類名】明細書
【補正対象項目名】００１０
【補正方法】変更
【補正の内容】
【００１０】
このように構成すると、第１の情報処理装置は、前記第１の監視部の前記監視結果及び前記上位ネットワークの前記通信状況に基づいて、前記所定の重み付けを決定することができる。このため、前記通信システムは、例えば、前記上位ネットワークの通信状況が一部地域で障害が発生している場合に、当該一部地域と関連のある地域をカバーするネットワークにフェムトセル基地局が接続する数を減らすように、前記所定の重み付けを決定することができる。
【手続補正４】
【補正対象書類名】明細書
【補正対象項目名】００１１
【補正方法】変更
【補正の内容】
【００１１】
また、前記第１の情報処理装置は、前記第１の負荷分散装置へ前記所定の重み付けを指示する第１の指示部を更に備えるようにしても良い。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、前記第１の制御部は、前記所定の重み付けが大きい方のネットワークに相対的に多数の前記フェムトセル基地局を接続させるように制御するようにしても良い。
【手続補正１０】
【補正対象書類名】明細書
【補正対象項目名】００１９
【補正方法】変更
【補正の内容】
【００１９】
またさらに、前記通信システムは、前記複数のフェムトセル基地局の通信可能な第２の負荷分散装置を更に備え、前記第２の負荷分散装置は、前記所定の重み付けに基づいて前記複数のフェムトセル基地局が複数のネットワークのいずれに接続するかを制御する第２の制御部を備え、前記第１の負荷分散装置と前記第２の負荷分散装置とが並行して動作するようにしても良い。